(57)【要約】【課題】レンズ鏡筒の大型化を招くことなく、回転伝達突起の光軸方向の長さを十分に確保できるようにして、レンズ鏡筒のズーム動作を安定させる仕組みを提供する。【解決手段】レンズ鏡筒は、回転しながら光軸方向に移動する外側カム筒３１と、外側カム筒３１の内周部に形成された直進溝３１ｄに係合する回転伝達突起４２ｂを有し、外側カム筒３１とともに回転しながら外側カム筒３１に対して光軸方向に相対移動する内側カム筒４２と、外側カム筒３１と係合し、回転が規制された状態で外側カム筒３１と一体に光軸方向に移動する直進部材３２と、を備える。直進部材３２には、レンズ鏡筒の沈胴位置で回転伝達突起４２ｂが光軸方向に侵入する長穴３２ｂが設けられている。【選択図】図１３
2014115467.tif 000002
【特許請求の範囲】
【請求項１】
撮影位置と沈胴位置との間を光軸方向に移動して撮影倍率を変更するズーム式のレンズ鏡筒であって、
回転しながら光軸方向に移動する第１の回転筒と
前記第１の回転筒に形成された光軸方向に延びる溝に係合する回転伝達突起を有し、前記第１の回転筒とともに回転しながら前記第１の回転筒に対して光軸方向に相対移動する第２の回転筒と、
前記第１の回転筒と係合し、回転が規制された状態で前記第１の回転筒と一体に光軸方向に移動する直進部材と、を備え、
前記直進部材には、前記沈胴位置で前記回転伝達突起が光軸方向に侵入する侵入部が設けられていることを特徴とするレンズ鏡筒。
【請求項２】
前記侵入部は、前記第１の回転筒の回転方向に長い長穴であることを特徴とする請求項１に記載のレンズ鏡筒。
【請求項３】
前記第１の回転筒は、前記回転伝達突起が係合する前記溝と交差するカム溝を有し、
前記回転伝達突起の前記溝との光軸方向の係合長さは、前記溝と前記カム溝との交差部の光軸方向の長さより長く設定されていることを特徴とする請求項１又は２に記載のレンズ鏡筒。
【請求項４】
ズーム式のレンズ鏡筒を備える撮像装置であって、
前記レンズ鏡筒として、請求項１乃至３のいずれか一項に記載のレンズ鏡筒を備えることを特徴とする撮像装置。
【発明の詳細な説明】
【技術分野】
【０００１】
本発明は、例えば、デジタルカメラ等の撮像装置に搭載されるズーム式のレンズ鏡筒、及びズーム式のレンズ鏡筒を備える撮像装置に関する。
【背景技術】
【０００２】
デジタルカメラ等の撮像装置に搭載されるズーム式のレンズ鏡筒では、内側回転筒の外周部に突設した台座部に回転伝達突起を設け、この回転伝達突起を外側回転筒の直進溝に係合させるものが提案されている（特許文献１）。この提案では、外側回転筒の回転を回転伝達突起を介して内側回転筒に伝達して、外側回転筒及び内側回転筒を共に回転させている。
【先行技術文献】
【特許文献】
【０００３】
【特許文献１】特開２００９−１９２８１４号公報
【発明の概要】
【発明が解決しようとする課題】
【０００４】
上記特許文献１では、外側回転筒の直進溝に係合する回転伝達突起は、レンズ鏡筒のズーム動作時に局所的な力がかかりやすい。そのため、例えば、回転伝達突起の光軸方向の長さが短いと、レンズ鏡筒のズーム動作が不安定になる可能性がある。
【０００５】
特に、回転伝達突起が係合する直進溝に対してカム溝が交差する場合、回転伝達突起が交差部分を通過する際に直進溝から脱落するのを防止するためには、回転伝達突起の光軸方向の長さを十分に確保する必要がある。しかし、通常は、回転伝達突起の光軸方向の前後には、直進部材が配置されるため、回転伝達突起の光軸方向の長さを確保するには、レンズ鏡筒ひいては撮像装置の大型化を招く。
【０００６】
そこで、本発明は、レンズ鏡筒の大型化を招くことなく、回転伝達突起の光軸方向の長さを十分に確保できるようにして、レンズ鏡筒のズーム動作を安定させる仕組みを提供することを目的とする。
【課題を解決するための手段】
【０００７】
上記目的を達成するために、本発明のレンズ鏡筒は、撮影位置と沈胴位置との間を光軸方向に移動して撮影倍率を変更するズーム式のレンズ鏡筒であって、回転しながら光軸方向に移動する第１の回転筒と、前記第１の回転筒に形成された光軸方向に延びる溝に係合する回転伝達突起を有し、前記第１の回転筒とともに回転しながら前記第１の回転筒に対して光軸方向に相対移動する第２の回転筒と、前記第１の回転筒と係合し、回転が規制された状態で前記第１の回転筒と一体に光軸方向に移動する直進部材と、を備え、前記直進部材には、前記沈胴位置で前記回転伝達突起が光軸方向に侵入する侵入部が設けられていることを特徴とする。
【発明の効果】
【０００８】
本発明によれば、レンズ鏡筒の大型化を招くことなく、回転伝達突起の光軸方向の長さを十分に確保して、レンズ鏡筒のズーム動作を安定させることができる。
【図面の簡単な説明】
【０００９】
【図１】本発明の実施形態の一例であるズーム式のレンズ鏡筒が搭載された撮像装置の一例としてのデジタルカメラを正面側から見た斜視図である。
【図２】レンズ鏡筒のワイド位置での断面図である。
【図３】レンズ鏡筒のテレ位置での断面図である。
【図４】レンズ鏡筒の沈胴位置での断面図である。
【図５】レンズ鏡筒の鏡筒構成を説明するための分解斜視図である。
【図６】固定筒ユニットの分解斜視図である。
【図７】外側カム筒ユニットの分解斜視図である。
【図８】内側カム筒ユニットを被写体側から見た分解斜視図である。
【図９】外側カム筒ユニット、及び内側カム筒ユニットを像面側から見た分解斜視図である。
【図１０】内側カム筒を像面側から見た斜視図である。
【図１１】１群筒ユニットを像面側から見た斜視図である。
【図１２】外側カム筒の内周側の展開図である。
【図１３】レンズ鏡筒が沈胴位置にあるときの要部断面図である。
【図１４】レンズ鏡筒が撮影位置（ワイド位置）にあるときの要部断面図である。
【発明を実施するための形態】
【００１０】
以下、本発明の実施形態の一例を図面を参照して説明する。
【００１１】
図１は、本発明の実施形態の一例であるズーム式のレンズ鏡筒が搭載された撮像装置の一例としてのデジタルカメラを正面側から見た斜視図である。
【００１２】
図１に示すように、本実施形態のズーム式のレンズ鏡筒２は、デジタルカメラのカメラ本体１の正面側に設けられ、撮影位置と沈胴位置との間を光軸方向に移動して撮影倍率を変更する。
【００１３】
図２はレンズ鏡筒のワイド位置での断面図、図３はレンズ鏡筒のテレ位置での断面図、図４はレンズ鏡筒の沈胴位置での断面図である。また、図５は、レンズ鏡筒の鏡筒構成を説明するための分解斜視図である。
【００１４】
図２乃至図４に示すように、レンズ鏡筒２は、４群のレンズで構成されており、１群レンズ１１が１群筒５１に保持され、２群レンズ１２が２群ホルダ７２に保持され、３群レンズ１３が３群ホルダ７３に保持され、４群レンズ１４が４群ホルダ７４に保持される。３群ホルダ７３の像面側には、シャッターユニット７３Ｓが設けられている。
【００１５】
また、図５に示すように、レンズ鏡筒２の鏡筒構成は、固定筒ユニット２０に対して、外側カム筒ユニット３０、内側カム筒ユニット４０、及び１群筒ユニット５０の３段構成とされている。以下、固定筒ユニット２０、外側カム筒ユニット３０、内側カム筒ユニット４０、及び１群筒ユニット５０の順に説明する。
【００１６】
図６は、固定筒ユニット２０の分解斜視図である。図６に示すように、固定筒ユニット２０は、固定筒２１、撮像素子１５を保持する素子ホルダ２２を備える。
【００１７】
固定筒２１の内周部には、直進溝２１ａ、及びカム溝２１ｂが形成されている。固定筒２１の外周部には、出力ギア８３が設けられている。素子ホルダ２２には、ズームモータ８１、ズームモータ８１からの動力を伝達するギア列を収納したギアボックス８２、及び４群ホルダ７４を駆動するＡＦモータユニット７５が設けられている。
【００１８】
そして、固定筒２１と素子ホルダ２２が結合された状態では、ギアボックス８２のギアが固定筒２１の出力ギア８３と噛合して、ズームモータ８１の動力を後述する外側カム筒３１へ伝達する。
【００１９】
図７は、外側カム筒ユニット３０の分解斜視図である。図７に示すように、外側カム筒ユニット３０は、外側カム筒３１、直進板３２、化粧リング３３、及び遮光シート３４を備える。
【００２０】
外側カム筒３１の内周部には、複数のカム溝３１ｅ、及び直進溝３１ｄが形成されており、本実施形態では、カム溝３１ｅと直進溝３１ｄとが交差する交差部３１ｆが存在している。また、外側カム筒３１の像面側の端部内周部には、円周方向に沿って形成された周溝３１ａが形成され、外側カム筒３１の像面側の端部外周部には、カムピン３１ｃ及びギア３１ｂが設けられている。ここで、外側カム筒３１は、本発明の第１の回転筒の一例に相当する。
【００２１】
ギア３１ｂは、固定筒２１に設けられた出力ギア８３と噛合し、カムピン３１ｃは、固定筒２１のカム溝２１ｂと係合している。ズームモータ８１の動力が出力ギア８３からギア３１ｂに伝達されると、カムピン３１ｃが固定筒２１のカム溝２１ｂの軌跡に倣って移動し、これにより、外側カム筒ユニット３０が回転しながら光軸方向へ移動する。
【００２２】
また、外側カム筒３１の被写体側の端部には、小径部３１ｊが形成され、小径部３１ｊの外周面には、係合凸面３１ｇ、及びカム溝３１ｅの端部の肉薄部を覆う凸面３１ｈが設けられている。
【００２３】
直進板３２は、円環板状のフランジ３２ｆと、フランジ３２ｆから光軸方向に延びる直進キー３２ｃ，３２ｄとを有する。直進キー３２ｃは、フランジ３２ｆの径方向に対向して２カ所配置され、直進キー３２ｄは、直進キー３２ｃに対して略９０°位相をずらしてフランジ３２ｆの径方向に対向して２カ所配置されている。
【００２４】
フランジ３２ｆには、外側カム筒３１の周溝３１ａに係合する係合部３２ａが周方向に３カ所設けられている。係合部３２ａが外側カム筒３１の周溝３１ａに係合することで、直進板３２は、外側カム筒３１と一体に光軸方向に移動可能となっている。
【００２５】
フランジ３２ｆには、外側カム筒３１の回転方向に長い長穴３２ｂが径方向に対向して２カ所形成され、また、フランジ３２ｆの外周部には、径方向外側に突出する突起部３２ｅが周方向に所定の間隔で３カ所設けられている。突起部３２ｅは、固定筒２１の直進溝２１ａが係合し、これにより、直進板３２は、回転が規制された状態で光軸方向に直進案内される。ここで、直進板３２は、本発明の直進部材の一例に相当し、長穴３２ｂは、本発明の侵入部の一例に相当する。
【００２６】
また、直進板３２の直進キー３２ｃが後述する直進筒４３の直進係合部４３ｇに係合し、直進キー３２ｄが後述するカバー筒４１の直進係合部４１ｂに係合することで、直進筒４３及びカバー筒４１がそれぞれ光軸方向に直進案内される。
【００２７】
化粧リング３３は、外側カム筒３１の係合凸面３１ｇに嵌合されて保持される。遮光シート３４は、化粧リング３３と外側カム筒３１の先端３１ｋとの間に配置されている。
【００２８】
図８は、内側カム筒ユニット４０を被写体側から見た分解斜視図である。また、図９は外側カム筒ユニット３０、及び内側カム筒ユニット４０を像面側から見た分解斜視図、図１０は内側カム筒４２を像面側から見た斜視図である。
【００２９】
図８及び図９に示すように、内側カム筒ユニット４０は、カバー筒４１、内側カム筒４２、直進筒４３、及び遮光板４４を備える。
【００３０】
カバー筒４１の像面側の端部外周部には、複数のカムピン４１ａが円周方向に所定の間隔で突設され、カバー筒４１の像面側の端面には、直進係合部４１ｂが径方向に互いに対向して２カ所設けられている。カムピン４１ａは、外側カム筒３１のカム溝３１ｅに係合し、直進係合部４１ｂには、直進板３２の直進キー３２ｄが係合する。
【００３１】
カバー筒４１の像面側の端部内周部には、円周状のリブ４１ｄが形成され、リブ４１ｄには、径方向内側に突出する凸部４１ｃが円周方向に略等間隔で３カ所設けられている。凸部４１ｃは、内側カム筒４２の像面側の端部外周部に円周方向に沿って形成された周溝溝部４２ｅに係合し、これにより、カバー筒４１は、内側カム筒４２と一体に外側カム筒３１に対して光軸方向に相対移動可能とされている。また、カバー筒４１の被写体側の端部には、化粧リング４５が設けられている。
【００３２】
内側カム筒４２は、図８乃至図１０に示すように、外周部にカム溝４２ａが形成され、内周部にカム溝４２ａ，４２ｄが形成されている。内側カム筒４２の像面側の端部外周部には、回転伝達突起４２ｂが径方向に互いに対向して２カ所設けられている。回転伝達突起４２ｂは、光軸方向を像面側に突出した形状をなしている。また、内側カム筒４２の像面側の端部内周部には、円周方向に延びる周溝４２ｆが形成されている。
【００３３】
そして、カム溝４２ａには、１群筒５１のカムピン５１ａが係合し、これにより、１群レンズ１１は、カム溝４２ａの軌跡に沿って光軸方向に進退移動することが可能となる。カム溝４２ｃには、２群ホルダ７２のカムピン７２ａ（図５参照）が係合し、これにより、２群レンズ１２は、カム溝４２ｃの軌跡に沿って光軸方向に進退移動することが可能となる。
【００３４】
同様に、カム溝４２ｄには、３群ホルダ７３のカムピン７３ａ（図５参照）が係合し、これにより、３群レンズ１３は、カム溝４２ｄの軌跡に沿って光軸方向に進退移動することが可能となる。また、回転伝達突起４２ｂは、外側カム筒３１の直進溝３１ｄ（図７参照）に係合し、これにより、内側カム筒４２に外側カム筒３１の回転が伝達されて、内側カム筒４２及び外側カム筒３１が共に回転する。ここで、内側カム筒４２は、本発明の第２の回転筒の一例に相当する。
【００３５】
直進筒４３は、２群ホルダ７２を光軸方向に直進案内する直進ガイド溝４３ａ、及び３群ホルダ７３を光軸方向に直進案内する直進ガイド溝４３ｂを有する。直進筒４３の被写体側の端部外周部には、フランジ４３ｃが設けられ、フランジ４３ｃの外周部には、１群筒５１を光軸方向に直進案内する直進キー４３ｄが設けられている。
【００３６】
また、直進筒４３の像面側の端部外周部には、突起４３ｅが設けられている。突起４３ｅは、内側カム筒４２の周溝４２ｆに係合し、これにより、直進筒４３は、内側カム筒４２をフランジ４３ｃと突起４３ｅとの間で光軸方向に挟持して内側カム筒４２と一体に光軸方向に沿って移動可能となる。
【００３７】
遮光板４４は、円環板状に形成され、その内周部には、直進筒４３の係合爪４３ｆに係合して保持される係合部４４ａが設けられている。
【００３８】
図１１は、１群筒ユニット５０を像面側から見た斜視図である。図１１及び図５に示すように、１群筒ユニット５０は、１群筒５１、バリア羽根５２、及び１群カバー５３を備える。
【００３９】
１群筒５１には、直進ガイド溝５１ｂが形成されている。直進ガイド溝５１ｂには、直進筒４３の直進キー４３と係合し、これにより、１群レンズ１１が光軸方向に直進案内される。また、１群筒５１の像面側の端部には、像面側に延びる凸片５４が円周方向に略等間隔で３カ所設けられ、凸片５４の径方向内側の面には、カムピン５１ａが設けられている。カムピン５１ａは、内側カム筒４２のカム溝４２ａと係合し、これにより、１群筒ユニット５０は、カム溝４２ａの軌跡に沿って光軸方向に進退移動する。
【００４０】
図１２は、外側カム筒３１の内周側の展開図である。上述したように、外側カム筒３１の直進溝３１ｄには、内側カム筒４２の回転伝達突起４２ｂが係合し、外側カム筒３１の回転を内側カム筒４２に伝達する。また、外側カム筒３１の内周部には、直進溝３１ｄとカム溝３１ｅとが交差する交差部３１ｆが存在する。
【００４１】
レンズ鏡筒２が沈胴位置にあるとき、内側カム筒４２の回転伝達突起４２ｂは、図１２に示す位置Ｐ１にある。そして、撮影時には、レンズ鏡筒２のズーム位置の変化に応じて、内側カム筒４２の回転伝達突起４２ｂは、位置Ｐ２を通過し、位置Ｐ３まで移動する。位置Ｐ２では、回転伝達突起４２ｂは、交差部３１ｆを通過する。
【００４２】
ここで、本実施形態では、上述したように、回転伝達突起４２ｂは、光軸方向を像面側に突出した形状をなしている。そして、回転伝達突起４２ｂの直進溝３１ｄとの光軸方向の係合長さは、交差部３１ｆの光軸方向に長さより長く設定されている。交差部３１ｆの光軸方向に長さは、直進溝３１ｄとカム溝３１ｅが交差することにより分断される直進溝３１ｄの光軸方向の長さとなる。
【００４３】
図１３は、レンズ鏡筒２が沈胴位置にあるときの要部断面図である。図１４は、レンズ鏡筒２が撮影位置（ワイド位置）にあるときの要部断面図である。
【００４４】
図１３で示すように、レンズ鏡筒２が沈胴位置にあるとき、内側カム筒４２の回転伝達突起４２ｂは、直進板３２のフランジ３２ｆの長穴３２ｂに侵入する。そして、撮影状態へ移行すると、図１４に示すように、内側カム筒４２の回転伝達突起４２ｂは、直進板３２から被写体側に離間した位置関係となる。
【００４５】
以上説明したように、本実施形態では、内側カム筒４２の回転伝達突起４２ｂを光軸方向の像面側へ延長し、レンズ鏡筒２の沈胴時に、回転伝達突起４２ｂが直進板３２のフランジ３２ｆの長穴３２ｂに侵入するように構成している。これにより、レンズ鏡筒２を大型化することなく内側カム筒４２の回転伝達突起４２ｂを光軸方向の長さを確保することができる。
【００４６】
このため、レンズ鏡筒２のズーム動作時に直進溝３１ｄに係合する回転伝達突起４２ｂに対して局所的な力がかかり難く、しかも回転伝達突起４２ｂが交差部３１ｆを通過する際の脱落も回避することができる。この結果、レンズ鏡筒２のズーム動作を安定させることができる。
【００４７】
また、内側カム筒４２の回転伝達突起４２ｂを光軸方向の像面側へ延長した分、回転伝達突起４２ｂが係合する直進溝３１ｄが形成される外側カム筒３１の繰り出し量を減らすことができる。この結果、外側カム筒３１のカムピン３１ｃが係合する固定筒２１のカム溝２１ｂのレイアウトの自由度が向上し、レンズ鏡筒２の小型化にも寄与する。
【００４８】
なお、本発明の構成は、上記実施形態に例示したものに限定されるものではなく、材質、形状、寸法、形態、数、配置箇所等は、本発明の要旨を逸脱しない範囲において適宜変更可能である。
【００４９】
例えば、上記実施形態では、レンズ鏡筒２の沈胴時に、回転伝達突起４２ｂを直進板３２のフランジ３２ｆの長穴３２ｂに侵入させるようにしているが、穴形状に限定されず、例えば、切欠き形状でもあってもよい。
【００５０】
また、上記実施形態では、直進部材として、直進板３２を例示したが、これに代えて、筒状のモールド成形品等からなる直進筒であってもよい。
【符号の説明】
【００５１】
１  カメラ本体
２  デジタルカメラ
３０  外側カム筒ユニット
３１  外側カム筒
３１ｄ  直進溝
３２  直進板
３２ｂ  長穴
４０  内側カム筒ユニット
４２  内側カム筒
４２ｂ  回転伝達突起
４３  直進筒
【図１】
2014115467.tif 000003
【図２】
2014115467.tif 000004
【図３】
2014115467.tif 000005
【図４】
2014115467.tif 000006
【図５】
2014115467.tif 000007
【図６】
2014115467.tif 000008
【図７】
2014115467.tif 000009
【図８】
2014115467.tif 000010
【図９】
2014115467.tif 000011
【図１０】
2014115467.tif 000012
【図１１】
2014115467.tif 000013
【図１２】
2014115467.tif 000014
【図１３】
2014115467.tif 000015
【図１４】
2014115467.tif 000016